(57)【要約】【課題】本発明は、現代生活において毎日使用する生活必需品である靴と電位治療器を組み合わせることで、人体内の正負イオンのバランスを整えることができる靴を提供することを課題とする。【解決手段】本発明の靴は、靴底１５、電位発生ユニット１１、第一導電ユニット１２及び第二導電ユニット１３を備える。靴底１５は第一面１５１及び第一面に対応する第二面１５２を有する。電位発生ユニット１１は高電位出力端子ＶＨ及び低電位出力端子ＶＬを有し、このうち、第一導電ユニット１２は電位発生ユニット１１の高電位出力端子ＶＨに電気的に接続されて、靴底第一面１５１の外側に露出する。第二導電ユニット１３は電位発生ユニット１１の低電位出力端子ＶＬに電気的に接続されて、靴底第二面１５２の外側に露出する。【選択図】図１
2009125588.tif 000002
【特許請求の範囲】
【請求項１】
第一面及び前記第一面に対応する第二面を有する靴底と、
高電位出力端子及び低電位出力端子を有する電位発生ユニットと、
前記電位発生ユニットの前記高電位出力端子に電気的に接続されて、前記靴底前記第一面の外側に露出する第一導電ユニットと、
前記電位発生ユニットの前記低電位出力端子に電気的に接続されて、前記靴底前記第二面の外側に露出する第二導電ユニットを備えることを特徴とする
靴。
【請求項２】
前記電位発生ユニットは電池、電圧発生装置、昇圧装置または発電装置を含むことを特徴とする
請求項１に記載の靴。
【請求項３】
前記第一導電ユニットまたは前記第二導電ユニットは金属片を有して、前記電位発生ユニットの前記高電位出力端子または前記低電位出力端子に電気的に接続されて、前記靴底の前記第一面または前記第二面の外側に露出することを特徴とする
請求項１又は２に記載の靴。
【請求項４】
さらに、前記電位発生ユニット及び前記第一導電ユニットまたは前記第二導電ユニットに電気的に接続される電流制限ユニットを備えることを特徴とする
請求項１から３のいずれか１項に記載の靴。
【発明の詳細な説明】
【技術分野】
【０００１】
本発明は、靴に関する。
【背景技術】
【０００２】
科学技術の進歩に伴い、人類の生活もますます便利になっている。  
しかしながら、その一方で、大自然の環境が破壊されて、野生動物の生態に影響を与えたり、人類の生活環境に汚染をもたらしたりする。  
中でも、生活環境において大量に発生するプラスイオンは、人体内のプラスイオンとマイナスイオンのバランスを崩すと言われている。
【０００３】
人体内のプラスイオンが多すぎると、人体内の正常なイオンのバランスが崩れて、体質が酸化し、新陳代謝の速度を遅くし、様々な体の不調を引き起こす。
【０００４】
近年、健康志向の設備が開発され、普及しているが、電位治療器もそのうちの一つである。  
電位治療器は人体に電位を与えて、多すぎるプラスイオンを中和することで、人体内のプラスイオンとマイナスイオンのバランスを整えて、体質の酸化を防止し、人体の新陳代謝を促す。  
現在、電位治療器の大部分は、携帯式または家具や日常生活用品との組み合わせによって、人体内のプラスイオンとマイナスイオンのバランスを整える効果を有するベッド、ソファーまたは椅子等を構成している。
【発明の開示】
【発明が解決しようとする課題】
【０００５】
しかしながら、健康器具製品は長期間使用してこそ、その効果が発揮される。  
携帯式の電位治療器または日常生活用品に組み合わされた電位治療器は往々にして、ある程度の期間が過ぎると、使用者に忘れられて使用されなくなりがちである。
【０００６】
したがって、本発明は、現代生活において毎日使用する生活必需品である靴と電位治療器を組み合わせることで、人体内の正負イオンのバランスを整える靴を提供することを課題とする。
【０００７】
上記課題を解決するために、本発明は電位治療器を組み合わせて、人体内の正負イオンのバランスを整える靴を提供することを目的とする。
【課題を解決するための手段】
【０００８】
上記目的を達成するために、本発明の靴は、靴底、電位発生ユニット、第一導電ユニット及び第二導電ユニットを備える。  
靴底は第一面及び第一面に対応する第二面を有する。  
電位発生ユニットは高電位出力端子及び低電位出力端子を有し、このうち、第一導電ユニットは電位発生ユニットの高電位出力端子に電気的に接続されて、靴底第一面の外側に露出する。  
第二導電ユニットは電位発生ユニットの低電位出力端子に電気的に接続されて、靴底第二面の外側に露出する。
【０００９】
このように、本発明の靴は、靴内に電位発生ユニットが配置されることで、その高電位出力端子が地面に接触し、低電位出力端子が人体に接触した時、低電位出力端子からマイナス電荷が人体に与えられて正負イオンのバランスを整える。  
なお、本願発明の靴には、サンダル、スリッパ、ミュール、げた、草履等の履物を含む。
【発明の効果】
【００１０】
本発明の靴は、靴内に電位発生ユニットが配置されることで、その高電位出力端子が地面に接触し、低電位出力端子が人体に接触した時、低電位出力端子からマイナス電荷が人体に与えられて正負イオンのバランスを整える。
【発明を実施するための最良の形態】
【００１１】
以下に図を参照しながら、本発明の靴の複数の実施例について説明する。
【実施例１】
【００１２】
図１を参照しながら説明する。  
本発明の第一実施例における靴１は、電位発生ユニット１１、第一導電ユニット１２、第二導電ユニット１３及び靴底１５を備える。
【００１３】
靴底１５は第一面１５１及び第一面１５１に対応する第二面１５２を有する。  
本実施例において、靴底１５の材質は、絶縁材料を含み、絶縁材料はゴム、プラスチックまたは木等である。
【００１４】
電位発生ユニット１１は、高電位出力端子ＶＨ及び低電位出力端子ＶＬを有する。  
実施上は、電位発生ユニット１１は電池、電圧発生装置、昇圧装置または発電装置であり、一般的には、１ＫＶから９ＫＶの電圧を発生させる。
【００１５】
引き続き、図１を参照しながら説明する。  
第一導電ユニット１２は、電位発生ユニット１１の高電位出力端子ＶＨに電気的に接続される。  
本実施例において、第一導電ユニット１２は金属片１２１を有し、靴底１５の第一面１５１の外側に露出する。  
第二導電ユニット１３は電位発生ユニット１１の低電位出力端子ＶＬに電気的に接続される。  
本実施例において、第二導電ユニット１３も金属片１３１を有し、靴底１５の第二面１５２の外側に露出する。  
また、履き心地のよい靴１を提供するために、ここでは、金属片１２１、１３１は弾性要素１２２、１３２に連結されて緩衝構造を有する。  
弾性要素は例えばスプリングである。
【００１６】
しかしながら、本実施において、第一導電ユニット１２及び第二導電ユニット１３は、同時に金属片１２１、１３１及び弾性要素１２２、１３２を必要とするわけではなく、必要に応じて、第一導電ユニット１２または第二導電ユニット１３のうち一つを選んで、金属片１２１、１３１及び弾性要素１２２、１３２が設置されることが可能である。
【００１７】
また、本実施例において、第一導電ユニット１２及び／または第二導電ユニット１３が必ずしも金属片１２１及び弾性要素１２２によってのみ実現するというわけではない。  
それは、要するに材質が導電材料を含む必要があり、ここでは、導電材料は導電ゴムである。
【００１８】
このように、第一導電ユニット１２は地面に接触して、電位発生ユニット１１の高電位出力端子ＶＨに電気的に接続されることにより、確実に電位発生ユニット１１の低電位出力端子ＶＬにマイナスの電位を出力させる。  
つまり、マイナスの電荷は、第二導電ユニット１３から出力される。  
靴１をはいた時、その足の裏は第二導電ユニット１３に接触し、本実施例の靴１は、マイナスの電荷を放出することにより、人体内のプラスイオンとマイナスイオンのバランスを整える。
【００１９】
引き続き、図１を参照しながら説明する。  
本実施例の靴１はさらに、電流制限ユニット１４を備える。  
それは、電位発生ユニット１１及び第二導電ユニット１３に電気的に接続される。  
本実施例において、電流制限ユニット１４は、抵抗器またはヒューズを含み、電位発生ユニット１１、第一導電ユニット１２及び第二導電ユニット１３を流れる電流を制限することで、人体の安全を保護する。
【００２０】
また、本実施例は電流制限ユニット１４の設置位置を制限するものではなく、要するに、第一導電ユニット１２から第二導電ユニット１３の間の電気回路に設置されればそれでよい。
【実施例２】
【００２１】
図２を参照しながら説明する。  
第一実施例と異なる点は、第二実施例の靴２はさらに、靴のかかと２１を備える点である。  
靴のかかと２１は、靴底２５に連結される。  
このうち、電位発生ユニット１１、第一導電ユニット１２及び第二導電ユニット１３は、靴のかかと２１内に設置される。  
ここでは、靴のかかと２１は中空のかかとであり、電位発生ユニット１１が設置される。  
また、実施上、靴のかかと２１の材質は、絶縁材料を含み、絶縁材料はゴム、プラスチックまたは木等である。
【００２２】
また、靴２はさらに靴の中敷き２２を備え、靴底２５の第二面２５２上に設置される。  
このうち、靴の中敷き２２は開口部Ｈを有し、第二導電ユニット１３が開口部Ｈ内に位置することで、使用の際、使用者は直接第二導電ユニット１３に接触する。
【００２３】
本実施例において、靴の中敷き２２の材質は導電材料を含む。  
ここでは、導電材料は導電ゴムである。  
靴の中敷き２２が全て導電ゴムである場合、開口部を有さないことも可能である。  
要するに、電位発生ユニット１１が放出するマイナスの電荷が電気伝導回路を介して人体に伝わればよい。
【００２４】
このように、本発明の靴は、靴内に配置された電位発生ユニットを介して、その高電位出力端子が地面に接触し、低電位出力端子が人体に接触した時、低電位出力端子からマイナスの電荷が人体に与えられて、正負イオンのバランスを整える。  
または、その低電位出力端子が地面に接触し、高電位出力端子が人体に接触した時、人体がプラスの電場を帯びることで周囲の環境に存在するマイナスイオンを吸収して人体に近づける。  
以上２種類の方式は使用者の好みに応じて自由に選択が可能である。
【００２５】
以上、本発明の実施例を、図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２６】
【図１】本発明の第一実施例の靴を示した図である。
【図２】本発明の第二実施例の靴を示した図である。
【符号の説明】
【００２７】
１，２          靴
１１            電位発生ユニット
１２，１３      導電ユニット
１４            電流制限ユニット
１２２，１３２  弾性要素
１２１，１３１  金属片
１５，２５      靴底
１５１，２５１  靴底の第一面
１５２，２５２  靴底の第二面
ＶＨ，ＶＬ      電位出力端子
２１            靴のかかと
２２            靴の中敷き
Ｈ              開口部
【図１】
2009125588.tif 000003
【図２】
2009125588.tif 000004